(57)【要約】【課題】  反射型電気泳動表示装置において光量を増やして、画像の視認性を向上させる。【解決手段】  本発明に係る電気泳動表示装置では、着色層７を備えており、帯電粒子３がこの着色層７を隠したり（画素Ａ１参照）露出させたり（画素Ａ２参照）することにより、表示色の違いを利用して種々の情報を表示できるように構成されている。そして、この電気泳動表示装置は蛍光材料や蓄光材料を有する発光部Ｃ１も備えており、該発光部Ｃ１が露出されている状態（画素Ａ２参照）では、可視領域以外の光を吸収して可視領域の光を発光させることにより、着色層７からの光量を増やして、画像の視認性を向上させるようになっている。【選択図】      図１
2004310074.tif 000002
【特許請求の範囲】
【請求項１】
基板上に配置された帯電粒子と、帯電粒子を基板の面方向に移動させる手段とを備え、基板面内の帯電粒子の位置によって基板上方から視認される表示状態を定める表示装置であって、
基板が蛍光材料または蓄光材料を含有することを特徴とする表示装置。
【請求項２】
前記蛍光材料または蓄光材料が、基板上に可視波長域以外の光を吸収して可視波長域の光を発光するエリアを形成することを特徴とする請求項１に記載の表示装置。
【請求項３】
前記エリアが帯電粒子で被覆される状態と、前記エリアが露出する状態とを表示状態として含むことを特徴とする請求項２に記載の表示装置。
【請求項４】
前記帯電粒子が、蛍光材料または蓄光材料が励起される波長域内の光を吸収する材料を含有することを特徴とする請求項１に記載の表示装置。
【請求項５】
前記帯電粒子が、蛍光材料または蓄光材料が発光する波長域内の光を吸収する材料を含有することを特徴とする請求項１に記載の表示装置。
【請求項６】
前記基板が基板上方からの可視波長域の光を反射する反射面を有し、前記蛍光材料または蓄光材料が、該反射面を覆って配置されていることを特徴とする請求項１に記載の表示装置。
【請求項７】
前記基板が帯電粒子を表示要素ごとに隔てる隔壁を有し、隔壁が蛍光材料または蓄光材料を含有することを特徴とする請求項１に記載の表示装置。
【請求項８】
前記表示装置が、前記基板上に配置された容器と該容器内に保持された透明液体をさらに有し、前記帯電粒子が該透明液体中に保持されていることを特徴とする請求項１に記載の表示装置。
【発明の詳細な説明】
【技術分野】
【０００１】
本発明は、帯電粒子を移動させることに基づき表示を行う表示装置に関する。
【背景技術】
【０００２】
デジタル技術の目覚しい進歩により、個人が扱うことのできる情報量は飛躍的に増大している。これに伴い、情報の出力手段としてのディスプレイの開発が盛んにおこなわれており、高精細、低消費電力、軽量、薄型等のユーザビリティの高いディスプレイへと技術革新が続いている。特に近年では、印刷物と同等の表示品位をもつ“読み易い”反射型ディスプレイが待望されており、これは、電子ペーパー、電子ブック等の次世代の商品に欠かせない技術である。そのようなディスプレイの候補として、Ｈａｒｏｌｄ  Ｄ．  Ｌｅｅｓ等により米国特許第３６１２７５８号に提案された電気泳動表示装置が知られている。
【０００３】
かかる電気泳動表示装置は、一対の基板の間に着色帯電粒子と着色剤を混入した絶縁性液体を挟み、着色帯電粒子と着色された絶縁性液体との対比色により画像を形成するものである。
【０００４】
また、特開平１１−２０２８０４では、絶縁性液体を着色する必要がなく、透明な液体中に分散された着色帯電泳動粒子と基板に配置された着色層もしくは反射層との対比色によって画像を形成する電気泳動表示装置が提案されている。この場合は、帯電粒子を基板面内で移動させ、粒子が着色層を覆う位置にあるときと、着色層を露出させる位置にあるときで、基板を上方から見たときの見え方が異なることを利用する。電極は、帯電粒子を水平方向に移動させるために、一方の基板上に２つ並べて配置され、一方の電極上に着色層が配置される。着色層の下の電極面は、基板上方から入射する光を上方に反射する反射板を兼ねることが多い。
【０００５】
このような電気泳動表示装置においては、透明液体を用いるので、染料などの着色剤を絶縁性液体中に混入することがない。それによって表示装置としての寿命を延ばし、コントラスト低下を防ぐ効果がある。
【０００６】
これらの表示装置には、印刷物と同等の表示品位をもつ“読み易い”反射型ディスプレイという観点から、より明るい表示品位が求められるが、従来の電気泳動表示装置は、反射型ディスプレイであるため、紙のように読み易いという特長をもつ反面、周囲の照明がない真っ暗な場所では、表示を視認することができなくなってしまう。とくに、ユーザーが屋外から屋内に移動したときなど、明るい環境から外光のない真っ暗な環境に周囲の照明環境が一時的に変化した場合には、ディスプレイを使用中に表示が視認できなくなることになり、利用上の不便をきたしていた。
【０００７】
このような問題を解決するために、絶縁性液体中に蛍光物質を混入することが提案されている（例えば、特許文献１参照）。また、帯電粒子に蛍光体を混入させることが提案されている（例えば、特許文献２参照）。
【０００８】
【特許文献１】特開２００２−０４０４８９号公報
【特許文献２】特開２００２−２８７１７４号公報
【発明の開示】
【発明が解決しようとする課題】
【０００９】
しかし、このように帯電粒子や絶縁性液体中に蛍光材料や蓄光材料を含有させる場合、蛍光材料や蓄光材料の帯電粒子中の含有量や分布の制御、また、帯電制御剤や着色剤との電気化学的な安定性、また、絶縁性液体への溶解性など、多くのプロセス上・材料選択上の制約が発生してしまう。
【００１０】
そこで、本発明は、上述した問題点を解決するためになされたものであり、反射型ディスプレイである電気泳動表示装置において、製造プロセス上の制約が比較的少なく、反射率を向上させるとともに、周囲の照明がほとんどないような場合においても情報の視認が可能な（電気泳動）表示装置を提供することを目的とするものである。
【課題を解決するための手段】
【００１１】
本発明は上記事情を考慮してなされたものであり、基板上に配置された帯電粒子と、帯電粒子を基板の面方向に移動させる手段とを備え、基板面内の帯電粒子の位置によって基板上方から視認される表示状態が定まる表示装置であって、基板が蛍光材料または蓄光材料を含有することを特徴とする。前記蛍光材料または蓄光材料は、可視領域以外の光を吸収して励起され、可視領域の光を発光する性質を有する。基板面が帯電粒子で覆われない状態にあるときに可視領域以外の光によって励起され、可視光を光表示面側に光を放射する。
【発明の効果】
【００１２】
本発明によると、着色層にて可視領域の光が反射されるだけでなく、発光部にて可視領域以外の光も有効利用できるようになり、実質的な反射率を向上させることができる。
【００１３】
また、蓄光材料を用いた場合には、外部光（太陽光や蛍光灯の光）がある場合にはその光を蓄え、外部光が無い場合には蓄えた光を放出する。したがって、外部光が無い暗い状態でも表示画像を見ることができる。光の放出時間は蓄光材料にもよるが、最長は数時間程度の放出時間を実現できる。
【発明を実施するための最良の形態】
【００１４】
以下、図１乃至図４を参照して、本発明の実施の形態について説明する。
【００１５】
本発明に係る電気泳動表示装置は、図１に符号Ｄ１で示すように、所定間隙を開けた状態に配置された表示側基板１ａ及び後方側基板１ｂと、これらの基板１ａ，１ｂの間隙に配置された絶縁性液体２及び複数の帯電粒子３と、該絶縁性液体２に近接するように配置された一対の電極４ａ，４ｂとを備え、これらの電極４ａ，４ｂに電圧を印加して前記帯電粒子３を移動させることに基づき表示を行うように構成されている。該表示は、光が表示側基板１ａの側から入射されて反射されることに基づき視認されるように構成されている。
【００１６】
なお、前記基板１ａ，１ｂの間隙に隔壁部材５を配置して画素Ａ１，Ａ２を仕切るようにしても良い。図１に示す隔壁部材５は基板１ａ，１ｂの法線方向に配置された板状部材であるが、もちろんこれに限られるものではなく、マイクロカプセル状（つまり、基板１ａ，１ｂの法線方向のみならず基板１ａ，１ｂの面に沿って配置された殻状形状）としても良い。前者の場合は、隔壁部材５と基板１ａ，１ｂとによって絶縁性液体２や帯電粒子３を封止し、後者の場合は、マイクロカプセル状の隔壁部材だけで絶縁性液体２や帯電粒子３を封止できる。
【００１７】
本発明に用いる蛍光材料および蓄光材料は、紫外光などの非可視域の光によって励起されて可視域の光を発光し、励起光が消えたあとも残光として発光が持続する性質を有するものである。残光の減衰時間は材料によってさまざまであるが、本発明は、残光が目視できる程度に長い時間持続するものを利用する。
【００１８】
本発明に係る電気泳動表示装置は、少なくとも蛍光材料又は蓄光材料を有する発光部Ｃ１，Ｃ２（図４参照）を備えている。発光部Ｃ１，Ｃ２は、一方の電極（図１の４ｂ）の上にあって、かつ他方の電極（図１の４ａ）によって覆われている。発光部の上に来る電極は不透明であって、基板上方から入射する光を発光部に透過せず、発光部から発光される光を上方に透過もしない。
【００１９】
このように、発光部Ｃ１，Ｃ２が露出するエリアＢを一方の電極面上に形成する。このエリアＢは帯電粒子３によって覆われない状態で、可視領域以外の光を吸収し、それによって蛍光物質または蓄光物質が励起されて可視領域の光を発光する。帯電粒子３に覆われた状態では、帯電粒子３は少なくとも蛍光物質または蓄光物質が発光した光を透過しないで吸収するので、この部分は暗く視認される。
【００２０】
帯電粒子３は、励起波長域の光を吸収してもよいが透過してもよい。透過する場合は、帯電粒子３で覆われている間も蓄光物質が光を蓄積し、その後表示画像が変化して同エリアが帯電粒子３で覆われない状態になっても、その他の帯電粒子３で覆われていなかったエリアとほぼ同じ明るさで発光する。
【００２１】
このエリアＢには、帯電粒子３と異なる色が着色された着色層７が配置されていて、可視領域の光を反射するようになっている。図１では、着色層７は基板１ｂの全面に配置されているが、一の電極４ｂだけが配置されていて他の電極４ａが配置されていない領域（符号Ｂ参照）だけに配置されていても良い。また、図１では、着色層７は、電極４ｂや発光部Ｃ１とは別の層として設けられているが、もちろんこれに限られるものではなく、電極４ｂ自体を着色して着色層としても、発光部Ｃ１自体を着色して着色層としても良い。
【００２２】
本実施の形態においては、帯電粒子３が一の電極４ｂ，１４ｂ，２４ａに引き付けられた場合（図１〜４の符号Ａ１参照）にはその帯電粒子３の色が視認され、帯電粒子３が他の電極４ａ，１４ａ，２４ｂに引き付けられた場合（図１〜４の符号Ａ２参照）には前記着色層７の色が視認されるが、そのときに、発光部Ｃ１，Ｃ２は、可視域以外の光を吸収して可視域の光を発光するようになっている。
【００２３】
なお、帯電粒子３が一の電極４ｂ，１４ｂ，２４ａに引き付けられた場合と他の電極４ａ，１４ａ，２４ｂに引き付けられた場合との色差を明確にして表示コントラストを高めるには、帯電粒子３の色が視認される場合には発光部Ｃ１，Ｃ２からの発光が視認されないようにする必要がある。そこで、帯電粒子３が、
(1)  前記蛍光材料または蓄光材料を励起状態とする光エネルギーを吸収する材料を含む
または
(2)  前記蛍光材料または蓄光材料の発光スペクトルを吸収する材料を含む
ようにすることが好ましい。
【００２４】
ところで、上述のような発光部は、
(1)  図１〜３の符号Ｃ１に示すように、前記後方側基板１ｂに配置しても、
(2)  図４の符号Ｃ２に示すように、隔壁部材２５に兼用させても、
良い。
【００２５】
ここで、上記(1)の態様としては、
(1)―１  電極に蛍光材料等を層状に付着させる態様や、
(1)―２  電極に沿って配置された着色層に蛍光材料等を含有させる態様や、
(1)―３  電極４ｂに沿って配置された絶縁層に蛍光材料等を含有させる態様、
を挙げることができる。なお、
・  両方の電極４ａ，４ｂを後方側基板１ｂに沿うように配置すると共に図１の符号Ｃ１に示すように、蛍光材料等を含有させた層をそれらの電極４ａ，４ｂの間に形成しても、
・  図２及び図３に示すように、一対の電極４ａ，４ｂ（又は１４ａ，１４ｂ）を前記発光部Ｃ１と前記表示側基板１ａとの間に配置しても、
良い。
【００２６】
また、図４は、隔壁部材２５に蛍光材料等を含有させた態様を示す図であるが、符号Ａ１に示すように帯電粒子３が電極２４ａに引き付けられた場合には、発光部Ｃ１を兼用する隔壁部材２５が隠され、符号Ａ２に示すように帯電粒子３が電極２４ｂに引き付けられた場合には隔壁部材２５が視認されることとなる。図４の構成のように隔壁部材の面積・体積が大きい場合には特に、隔壁内に蛍光材料又は／及び蓄光材料を混ぜ込んでおく構成が有効である。このことによって、分厚い発光部を別途形成する必要がなくなるため、プロセスを簡略化できる。
【００２７】
本発明の構成は、プロセス開発や材料選択の点で自由度が高いという特徴をもつ。本発明とは異なり、帯電粒子や絶縁性液体中に蛍光材料や蓄光材料を含有させる場合を考える。この場合、蛍光材料や蓄光材料の帯電粒子中の含有量や分布の制御、また、帯電制御剤や着色剤との電気化学的な安定性、また、絶縁性液体への溶解性など、多くのプロセス上・材料選択上の制約が発生してしまう。本発明の場合は例えば、プロセス中の加熱処理による蛍光材料や蓄光材料の劣化を避けるため、問題となる加熱処理工程後に後方側基板の背面に蛍光材料や蓄光材料を含有した層を形成する構成・プロセスをとることなどができる。この場合、基板や電極は透明材料を用いることが好ましい。
【００２８】
本発明における蛍光材料や蓄光材料は特に限定されるものではない。例えば蛍光材料は、無機蛍光体でも、有機蛍光体でもあるいは両者を組み合わせてもよい。また、蛍光体の具体例としては、ＺｎＯ：Ｚｎ、ＺｎＳ：Ｃｌ、ＺｎＳ：Ｃｕ、Ａｌ、（Ｚｎ、Ｃｄ）Ｓ：Ａｇ、Ｃｌ、ＳｎＯ２：Ｅｕ、Ｙ２Ｏ２Ｓ：Ｅｕ、ＺｕＧａ２Ｏ４などが挙げられる。さらに詳しい蛍光材料については、蛍光体同学会編、「蛍光体ハンドブック」オーム社（１９８７年）などに記載されている。また、蓄光材料の具体例としては、ＺｎＳ：Ｃｕ、ＣａＳ：Ｂｉ、（Ｃａ、Ｓｒ）Ｓ：Ｂｉ、（Ｃａ、Ｓｒ）Ｓ：Ｃｅ、ＳｒＳ：Ｅｕ、ＳｒＡｌ２Ｏ４：Ｅｕ、ＣａＡｌ２Ｏ４：Ｅｕ、ＳｒＡｌ２Ｏ４：Ｅｕ、Ｄｙなどが挙げられる。本発明においては、これらの蛍光材料や蓄光材料はそれぞれ単独あるいは混合して使用することができる。
【００２９】
ところで、図１に示す電気泳動表示装置Ｄ１では、電極４ａ，４ｂはいずれも後方側基板１ｂに支持されているが、
・  図３に示すように、一方の電極１４ｂは後方側基板１ｂに沿うように配置し他方の電極１４ａは隔壁部材１５の内部に配置しても、
・  図４に示すように、一方の電極２４ａを表示側基板１ａに配置し、他方の電極２４ｂを後方側基板１ｂに配置しても、
良い。
【００３０】
図１や図３に示す電気泳動表示装置Ｄ１，Ｄ３では、帯電粒子３は基板面内で移動する、すなわち基板１ｂに沿って電極４ａ，４ｂ（或いは１４ａ，１４ｂ）の間を移動するようになっている。
【００３１】
図４に示す電気泳動表示装置Ｄ４では、帯電粒子３は水平方向に移動すると同時に基板１ａ，１ｂの法線方向にも移動する。しかし、この場合も帯電粒子の水平方向の移動によって発光面が覆われる状態と露出する状態を切り替えるので、図１や図３と同様、本発明が適用できる。
【００３２】
以上のとおり、本発明は、絶縁性液体２を透明とし、帯電粒子３は着色して、帯電粒子３が広い面積に分散された場合には該帯電粒子３の色が視認され（図１の符号Ａ１参照）、帯電粒子３が狭い面積に集積された場合には着色層７の色が視認され（図１の符号Ａ２参照）、その表示色の違いを利用して画像が表示される表示装置であれば、電極配置がいずれの形態であっても適用される。
【００３３】
次に、本実施の形態の効果について説明する。
【００３４】
本実施の形態によれば、着色層７にて可視領域の光が反射されるだけでなく、発光部Ｃ１，Ｃ２にて可視領域以外の光も有効利用できるようになり、実質的な反射率を向上させることができる。
【００３５】
また、蓄光材料を用いた場合には、外部光（太陽光や蛍光灯の光）がある場合にはその光を蓄え、外部光が無い場合には蓄えた光を放出する。したがって、外部光が無い暗い状態でも表示画像を見ることができる。光の放出時間は蓄光材料にもよるが、最長は数時間程度の放出時間を実現できる。
【実施例】
【００３６】
以下、実施例に沿って本発明を更に詳細に説明する。
【００３７】
（実施例１）
本実施例では、図１に示す構造の水平移動型電気泳動表示装置Ｄ１を作製した。なお、本実施例では、１画素のサイズを１２０μｍ×１２０μｍ、電極４ａ，４ｂの視認面積比（＝Ａ１−Ｂ：Ｂ）を２：８とした。
【００３８】
後方側基板１ｂとしてはステンレススチールホイール基板（２６０μｍ厚）を使用し、その表面に絶縁層（不図示）を形成し、その絶縁層の表面にアルミニウム膜を成膜し、フォトリソグラフィー法やウェットエッチング法によってパターニングして電極４ｂを形成した。そして、この電極４ｂを覆うように白色の着色層（酸化チタンやアルミナなどの白色顔料を分散させたアクリル樹脂）７を形成した。
【００３９】
次に、銀、アルミニウム付活硫化亜鉛（ＺｎＳ：Ａｇ、Ａｌ）の青色蛍光材料と、Ａｌ２Ｏ３、ＣａＯ、ＳｒＯ、Ｂ２Ｏ３からなる微細粉末の蓄光材料を樹脂バインダー中に分散させ、これを着色層上に塗布した（符号Ｃ１参照）。
【００４０】
その層Ｃ１の表面にＴｉ金属を成膜しパターニングして電極４ａを形成し、電極４ａを覆うようにアクリル樹脂層（絶縁層）８を形成した。そして、樹脂層８の表面には高さ２０μｍ、幅５μｍの隔壁５を形成した。
【００４１】
次に、隔壁５にて区画された凹部内に絶縁性液体２及び帯電粒子３を充填した。絶縁性液体２にはイソパラフィン（商品名：アイソパー、エクソン社製）を用い、帯電粒子３には粒径２μｍ程度のカーボンブラックを含有したポリスチレン−ポリメチルメタクリレート共重合体樹脂を使用した。イソパラフィンには、荷電制御剤としてコハク酸イミド（商品名：ＯＬＯＡ１２００、シェブロン社製）を含有させた。最後に、表示側基板１ａを隔壁５に貼り付けた。
【００４２】
以上のようにして作製した電気泳動表示装置を用いて、表示特性を測定した。すなわち、電極４ｂの電圧を０Ｖとし、他方の電極４ａには±２５Ｖの電圧を印加した。その結果、屋外において太陽光が照明となる場合から、室内の蛍光灯が照明となる場合など様々な照明条件下で、白表示の反射率が高く、かつ良好な表示コントラストを示す表示特性が得られた。さらに、屋外で夜の場合や屋内の真っ暗な部屋の中の場合など、照明がほとんどない条件下においても、蓄光材料からの発光色により、十分に表示が認識できる良好な表示コントラストを得られることを確認した。
【００４３】
（実施例２）
本実施例では、図２に示す構造の水平移動型電気泳動表示装置Ｄ２を作製した。なお、本実施例では、１画素のサイズを１２０μｍ×１２０μｍ、電極４ａ，４ｂの視認面積比（＝Ａ１−Ｂ：Ｂ）を２：８とした。
【００４４】
後方側基板１ｂとしてはガラス基板（１．１ｍｍ厚）を使用し、その全面を覆うように白色着色層７を形成した。そして、該着色層７の表面には、ＭＡｌ２Ｏ３で表される化合物でＭをストロンチウム、賦活剤としてユウピウム、更に賦活剤としてジスプロシウムをもちいた蓄光材料を樹脂バインダー中に分散させたものを塗布した（符号Ｃ１参照）。その表面には、ＩＴＯ膜を成膜し、フォトリソグラフィー法やウェットエッチング法によってパターニングして電極４ｂを形成した。そして、この電極４ｂを覆うようにアクリル樹脂（絶縁層）８を形成し、Ｔｉ金属により電極４ａを形成し、さらにアクリル樹脂（絶縁層）８を形成した。そして、アクリル樹脂８の表面には高さ２０μｍ、幅５μｍの隔壁５を形成した。
【００４５】
次に、隔壁５にて区画された凹部内に絶縁性液体２及び帯電粒子３を充填した。絶縁性液体２にはイソパラフィン（商品名：アイソパー、エクソン社製）を用い、帯電粒子３には粒径２μｍ程度のカーボンブラックを含有したポリスチレン−ポリメチルメタクリレート共重合体樹脂を使用した。このとき、蓄光材料を励起する紫外線光を吸収するベンゾフェノン系有機化合物などの材料を帯電粒子に混入させた。ブラックカーボンは黒色で、蓄光材料が発光する可視域の光をほとんど吸収する。絶縁性液体２には、荷電制御剤としてコハク酸イミド（商品名：ＯＬＯＡ１２００、シェブロン社製）を含有させた。最後に、表示側基板１ａを隔壁５に貼り付けた。
【００４６】
このようにして作製した電気泳動表示装置を、実施例１と同様の方法によって駆動したところ、同様の効果が得られた。
【００４７】
（実施例３）
本実施例では、図３に示す構造の水平移動型電気泳動表示装置Ｄ３を作製した。なお、本実施例では、１画素のサイズを９８μｍ×９８μｍとした。
【００４８】
後方側基板１ｂとしてはガラス基板（１．１ｍｍ厚）を使用した。次に、白色顔料として酸化チタンと、青色蛍光材料として銀、アルミニウム付活硫化亜鉛（ＺｎＳ：Ａｇ、Ａｌ）と、蓄光材料として硫化亜鉛に賦活剤として銅をもちいた材料を、樹脂バインダー中に分散させ、これをガラス基板上に塗布した。そして、その表面には、ＩＴＯ膜を成膜すると共にフォトリソグラフィー法やウェットエッチング法によってパターニングをして電極１４ｂを形成した。その電極１４ｂの表面にはアクリル樹脂層（絶縁層）８を形成した。
【００４９】
次に、画素境界部分にはメッキ処理により電極１４ａを形成し、その表面をアクリル樹脂（絶縁層）にて被覆して隔壁１５とした。なお、隔壁１５の幅を７μｍ、高さを１７μｍとした。
【００５０】
次に、隔壁５にて区画された凹部内に絶縁性液体２及び帯電粒子３を充填した。絶縁性液体２にはイソパラフィン（商品名：アイソパー、エクソン社製）を用い、帯電粒子３には粒径２μｍ程度のカーボンブラックを含有したポリスチレン−ポリメチルメタクリレート共重合体樹脂を使用した。このとき、蓄光材料を励起する紫外線光を吸収する酢酸アリニド系有機化合物などの材料を帯電粒子に混入させた。イソパラフィンには、荷電制御剤としてコハク酸イミド（商品名：ＯＬＯＡ１２００、シェブロン社製）を含有させた。最後に、表示側基板１ａを隔壁５に貼り付けた。
【００５１】
以上のようにして作製した電気泳動表示装置を用いて、表示特性を測定した。すなわち、電極１４ｂの電圧を０Ｖとし、他方の電極１４ａには±１０Ｖの電圧を印加した。その結果、屋外において太陽光が照明となる場合から、室内の蛍光灯が照明となる場合など様々な照明条件下で、白表示の反射率が高く、かつ良好な表示コントラストを示す表示特性が得られた。さらに、屋外で夜の場合や屋内の真っ暗な部屋の中の場合など、照明がほとんどない条件下においても、蓄光材料からの発光色により、十分に表示が認識できる良好な表示コントラストを得られることを確認した。
【図面の簡単な説明】
【００５２】
【図１】本発明に係る電気泳動表示装置の構造の一例を示す断面図。
【図２】本発明に係る電気泳動表示装置の構造の一例を示す断面図。
【図３】本発明に係る電気泳動表示装置の構造の一例を示す断面図。
【図４】本発明に係る電気泳動表示装置の構造の一例を示す断面図。
【符号の説明】
【００５３】
１ａ            表示側基板
１ｂ            後方側基板
２              絶縁性液体
３              帯電粒子
４ａ，４ｂ      電極
５              隔壁部材
７              着色層
１４ａ，１４ｂ  電極
２４ａ，２４ｂ  電極
Ｃ１              発光部
Ｃ２              発光部
Ｄ１              電気泳動表示装置
Ｄ２              電気泳動表示装置
Ｄ３              電気泳動表示装置
【図１】
2004310074.tif 000003
【図２】
2004310074.tif 000004
【図３】
2004310074.tif 000005
【図４】
2004310074.tif 000006